(57)【要約】    【課題】  鋏として使用される刃の一方をナイフとして使用できるようにすることで、ナイフ用の刃を別途設けることを省略し、これによりコストの低減化を図る。    【解決手段】  一対の回動片１、２が重ね合わされた状態で枢軸３により枢着し、該回動片１、２の一端部を刃部１ａ、２ａとして、他端部を柄部１ｂ、２ｂとして形成し、各回動片１、２が互いに重なり合った閉じ姿勢から開き姿勢まで枢軸３を介して開閉できるように形成し、各回動片１、２が開き姿勢にあるときに互いに相対向する側となる各刃部１ａ、２ａの縁部に刃１ｃ、２ｃが設けられて実質的な鋏を構成しており、各回動片１、２が重なり合った閉じ姿勢にあるとき、一方の回動片１の刃１ｃが露出してナイフとして使用できるように、他方の回動片２にその一部が切欠された切欠部２ｄを形成する。【選択図】  図１
2006230733.tif 000002
【特許請求の範囲】
【請求項１】
第１の回動片と第２の回動片とが、互いに重なり合った閉じ姿勢から互いに離れた開き姿勢まで開閉できるように枢軸を介して回動可能に連結され、各回動片は、前記枢軸の一方側が刃部として他方側が柄部として形成され、両回動片が開き姿勢にあるときに互いに相対向する側となる各刃部の縁部に刃が設けられて鋏を構成しており、両回動片が重なり合った閉じ姿勢にあるとき、第１の回動片の刃の一部分をナイフとして使用できるように露出させるべく第２の回動片の刃部に切欠部が形成されている鋏機能付きナイフ。
【請求項２】
各回動片の刃部の先端部と枢軸までの長さがほぼ等しく、第２の回動片の切欠部は、両回動片が閉じ姿勢にあるとき少なくとも第１の回動片の刃部の刃の刃先を、第２の回動片の刃部のみね側に露出させるように形成されている請求項１に記載の鋏機能付きナイフ。
【請求項３】
両回動片が閉じ姿勢にある時にナイフとして使用される刃を隠す安全カバーを備え、該安全カバーがナイフとして使用される刃を隠す位置と該刃を露出する位置とに選択して変位できるように前記回動片に取付けられている請求項１又は２に記載の鋏機能付きナイフ。
【発明の詳細な説明】
【技術分野】
【０００１】
本発明は、封書や各種用紙を切断したり、小物物品を切削したりするのに便利な鋏機能付きナイフに関する。
【背景技術】
【０００２】
従来、鋏とナイフの両方の機能を備えた切断具として、例えば特許文献１〜４に示すものがある。これら従来例のものは、鋏として使用される刃を備えた一対の回動片のうち、一方の回動片のみね側、即ち鋏として使用される刃先を設けた側とは反対側のエッジにナイフ用の刃を設けた所謂両刃形式を採用しており、この外側の刃先をナイフとして使用するようにしている。
【特許文献１】特開平９−１３５９６８号公報
【特許文献２】特開平９−２４４０８１号公報
【特許文献３】特開平９−０３７６９４号公報
【特許文献４】特開平２００３−０６２３６１号公報
【発明の開示】
【発明が解決しようとする課題】
【０００３】
しかし上記の両刃形式の手段では、刃先を回動片の両側に形成する必要があるため製作コストが高くつくといった問題点がある。
【０００４】
そこで本発明は、鋏として使用される刃の一方をナイフとしても使用できるようにして、従来のようなナイフ用の刃を別途設けることを省略し、これによりコスト低減を図ることを主たる目的とするものである。
【課題を解決するための手段】
【０００５】
上記目的を達成する為に本発明では次のような技術的手段を講じた。
即ち、本発明に係る鋏機能付きナイフにあっては、第１の回動片と第２の回動片とが、互いに重なり合った閉じ姿勢から互いに離れた開き姿勢まで開閉できるように枢軸を介して回動可能に連結され、各回動片は、前記枢軸の一方側が刃部として他方側が柄部として形成され、両回動片が開き姿勢にあるときに互いに相対向する側となる各刃部の縁部に刃が設けられて鋏を構成しており、両回動片が重なり合った閉じ姿勢にあるとき、第１の回動片の刃の一部分をナイフとして使用できるように露出させるべく第２の回動片の刃部に切欠部が形成されている構造とした。
【０００６】
上記本発明の鋏機能付きナイフにおいて、好ましくは、各回動片の刃部の先端部と枢軸までの長さがほぼ等しく、第２の回動片の切欠部は、両回動片が閉じ姿勢にあるとき少なくとも第１の回動片の刃部の刃の刃先を、第２の回動片の刃部のみね側に露出させるように形成されているものとするのがよい。これによれば、鋭利で切れ味の優れた刃先をナイフとして使用でき、かつ、ナイフとして使用される第１の回動片の刃部の刃先の剛性が、第２の回動片の刃部によって高められ、切れ味の向上が図られる。
【０００７】
また、両回動片が閉じ姿勢にある時にナイフとして使用される刃を隠す安全カバーを備え、該安全カバーがナイフとして使用される刃を隠す位置と該刃を露出する位置とに選択して変位できるように前記回動片に取付けられているものとすることもできる。この場合、安全カバーに引掛け片を設けてこれに指をひっかけて揺動操作できるようにするのがよい。また好ましくば、安全カバーが刃先を隠す位置と刃先を露出する位置とで仮保持するような係合手段を設けるのがよい。
【発明の効果】
【０００８】
本発明は上記の如く構成されたものであるから、鋏として使用される刃の一方を、鋏を閉じた状態でナイフとして使用することができ、これによりナイフ用の刃を別途設ける必要がなくなってコストの低減化を図ることができる。
【０００９】
また、ナイフとして使用される刃を隠す安全カバーを設け、該安全カバーがナイフとして使用される刃を隠す位置と該刃を露出する位置とに選択して変位できるように揺動可能に形成すれば、ナイフとして使用しないときは、安全カバーによりナイフとして使用される刃を隠すことにより一層安全に取り扱うことができ、且つ、安全カバーは回動片に取り付けられているから紛失することがない。
【発明を実施するための最良の形態】
【００１０】
以下本発明にかかる鋏機能付きナイフについて図示実施例に基づいて説明する。図１〜図３は本発明の第１の実施例を示すものである。この鋏機能付きナイフは、金属材料で作られた第１の回動片１と第２の回動片２を含み、これら回動片１、２が重ね合わされた状態で枢軸３を介して回動可能に連結され、該回動片１、２の枢軸３を境とする一方が細長い板状の刃部１ａ、２ａとして、他方が柄部１ｂ、２ｂとして形成されている。
【００１１】
第１の回動片１並びに第２の回動片２が互いに重なり合った閉じ姿勢から互いに離れた開き姿勢まで前記枢軸３を中心として開閉できるように形成され、各回動片１、２が開き姿勢にあるときに互いに相対向する側となる各刃部１ａ、２ａの側縁部に刃１ｃ、２ｃが設けられて実質的な鋏を構成している。また、図１及び図２に示すように前記各回動片１、２が重なり合った閉じ姿勢にあるとき、一方の回動片１の刃１ｃが露出してナイフとして使用できるように、他方の回動片２にその一部が切欠された切欠部２ｄが形成されている。また、両回動片１，２の刃部１ａ，２ａの先端部から枢軸までの長さはほぼ等しく、第２の回動片２の切欠部２ｄは、両回動片が閉じ姿勢にあるとき第１の回動片１の刃部１ａの刃の刃先から刃部１ａの中途部までの所定範囲を、第２の回動片２の刃部２ａのみね側に露出させるように形成されている。
【００１２】
従って、各回動片１、２の相対向する縁部に設けた刃１ｃ、２ｃが、鋏として使用するときの左右の鋏刃として利用されると同時に、回動片１，２を閉じた姿勢において一方の刃１ｃをナイフとして使用することができる。
【００１３】
図４並びに図５は本発明の他の実施例を示すものであって、前記各回動片１、２が閉じ姿勢にある時にナイフとして使用される刃１ｃを隠す安全カバー４が設けられている。この安全カバー４は硬質合成樹脂のような適度な硬度を有する材料から作られた薄板材で形成され、切欠部２ｄを設けた側の回動片２の表面に重なり合うように配置され、前記枢軸３を支点として揺動可能に取り付けられている。即ち、図４に示すように前記刃先１ｃを隠す位置と、図５に示すように該刃１ｃを露出する位置とに選択して揺動変位できるように枢軸３を介して取り付けられている。更に、刃１ｃを隠す位置と該刃１ｃを露出する位置とに安全カバー４を揺動変位させるための引掛け片４ａが柄部２ｂ側に延長して設けられている。またこの場合、図示は省略するが、安全カバー４が、刃を隠す位置と刃を露出する位置とで安定して仮保持できるような係合手段を設けるのがよい。この係合手段としては例えば互いに弾性係合する凹部と凸部によって形成することが可能である。
この実施例によれば、ナイフとして使用されれないときは安全カバー４によって刃１ｃを隠すことができるので、一層安全に取り扱うことができ、且つ、安全カバー４は回動片に取り付けられているから紛失することがない。
【００１４】
以上本発明の代表的な実施例について説明したが、本発明は必ずしも上記の実施例構造のみに特定されるものではない。例えば、回動片２の切欠部２ｄによって露出される刃１ｃは、少なくとも使用頻度の高い刃先部分を含む一部であってもよい。また本実施例では、安全カバー４を切欠部２ｄを設けた回動片２の表面に設けたが反対側の回動片１の表面にとりつけてもることも可能である。その他本発明ではその構成要件を備え、且つ効果を有する範囲内で適宜変更して実施できることは勿論である。
【産業上の利用可能性】
【００１５】
本発明は事務用又は家庭用のナイフ及び鋏の兼用の用具として便利に利用することができる。
【図面の簡単な説明】
【００１６】
【図１】本発明に係る鋏機能付きナイフの一実施例を示す斜視図。
【図２】上記鋏機能付きナイフの閉じ姿勢を示す平面図。
【図３】上記鋏機能付きナイフの開き姿勢を示す平面図。
【図４】本発明にかかる鋏機能付きナイフの別の実施例を示す平面図。
【図５】図４で示した実施例の動作状態を示す平面図。
【符号の説明】
【００１７】
１  第１の回動片
２  第２の回動片
１ａ、２ａ  刃部
１ｂ、２ｂ  柄部
１ｃ、２ｃ  刃
３  枢軸
４  安全カバー
４ａ  引掛け片  
【図１】
2006230733.tif 000003
【図２】
2006230733.tif 000004
【図３】
2006230733.tif 000005
【図４】
2006230733.tif 000006
【図５】
2006230733.tif 000007